(57)【要約】【課題】募金等の参加型イベントに対して参加者のアイデンティティが視覚的に確認できる技術を提供する。【解決手段】ユーザが携帯端末等から画像データを処理サーバに登録することにより、処理サーバはこれをピクト画像に変換し、予め用意されたテンプレート画像に当てはめて当該テンプレート画像を実画像に完成させていく。ユーザに対しては当該テンプレート画像のどの部分を自分が担ったのかが目視的に把握できるため、参加型のイベント等でユーザに対して当該イベントに対する参加意識を高めることができ、イベントの普及に貢献できる。【選択図】　　図１
2004030076.tif 000002
【特許請求の範囲】
【請求項１】
有意画像の極小ブロック画素領域毎にユーザ識別子を関係付けるテーブルを用意し、
前記テーブルにユーザ識別子が登録されるとこれに対応する極小ブロック画素領域に指定画像データを当てはめて有意画像を段階的に目視可能に表示する画像表示方法。
【請求項２】
ユーザ端末から有意画像の所定の極小ブロック画素領域を指定してユーザ登録を受け付けるステップと、
前記登録ユーザにユーザ識別子を付与するステップと、
前記ユーザ識別子を前記極小ブロック画素領域と関連付けてテーブルに登録するステップと、
前記テーブルを参照してユーザ識別子が登録された極小ブロック画素領域に指定画像データを当てはめて有意画像を表示するステップとからなる画像表示方法。
【請求項３】
ユーザ端末から有意画像の所定の極小ブロック画素領域を指定してユーザ登録を受け付けるステップと、
ユーザ端末から送信されたユーザ画像を受信するステップと、
前記登録ユーザにユーザ識別子を付与するステップと、
前記ユーザ識別子を前記極小ブロック画素領域と関連付けてテーブルに登録するステップと、
前記ユーザ画像を前記有意画像の画素情報に基づいて画像変換するステップと、
前記テーブルを参照してユーザ識別子が登録された極小ブロック画素領域に前記で変換されたユーザ画像データを当てはめて有意画像を表示するステップとからなる画像表示方法。
【発明の詳細な説明】
【０００１】
【発明の属する技術分野】
本発明は、携帯端末等の多数のユーザ端末からの操作によって、１枚の画像を完成させていく画像表示システムに関し、たとえばネットワークを介して端末装置から募金を募り、当該募金者の情報によって画像を完成させていく形式の募金支援システムに利用可能な技術である。
【０００２】
【従来の技術】
通信システムを介して募金を受け付けるシステムは種々提案されている。携帯端末や電話を用いた募金システムのように本来的にユーザへの課金手段を備えたシステムでは、電話料金の一部を電話運営会社が一括して募金するような仕組みが可能であった。
【０００３】
一方、インターネットでも今後、クレジットカードやデジタルキャッシュ等が確立していくにしたがって前記募金システムも普及してくると考えられている。
【０００４】
【発明が解決しようとする課題】
ところで、インターネットを介した募金システムが本格的に稼働し始めることを想定した際に、募金者が募金対象に対して募金という行為に参加したことを表彰したり、視覚的に認証するような仕組みはなんら提案されていなかった。
【０００５】
たとえば、募金者は募金後に自分が当該募金対象に対してどの程度貢献したのかを知るためには、文字情報として募金管理団体が発表する募金者名簿や募金結果報告を得るしかなかった。
【０００６】
このことは、タレントのファンクラブ活動やスポーツチームのサポーター活動にも当てはまり、ファンやサポーターは自分がタレントやチームにどの程度貢献しているのかを知るためにはファンクラブ会報等のリストで確認するしかなかった。
【０００７】
本発明はこのような従来の参加型イベントに対して参加者のアイデンティティが視覚的に確認できる技術を提供することを課題とする。
【０００８】
【課題を解決するための手段】
本発明は、前記課題を解決するために以下の手段を採用した。
【０００９】
すなわち、有意画像の極小ブロック画素領域毎にユーザ識別子を関係付けるテーブルを用意して、前記テーブルにユーザ識別子が登録されるとこれに対応する極小ブロック画素領域に指定画像データを当てはめて有意画像を段階的に目視可能に表示するようにしたものである。
【００１０】
つまり、有意画像とは、２００１年９月１１日にテロにより倒壊した米国の世界貿易センタービルの画像や、タレントの顔写真やスポーツチームのキャラクタ画像等であり、ユーザが募金や投票を行う度に極小ブロック画素領域が顕在化し、ユーザの募金や投票度合いにしたがって全体の画像が目視可能に表示されていくものである。
【００１１】
【発明の実施の形態】
以下、図面に基づいて、本発明の実施の形態を説明する。
図１は、本実施形態の概略を示したものである。
同図に示すように、本システムはユーザが所有する端末装置（ＭＰ）、処理サーバ（ＳＶ）、当該処理サーバに収容された画像データベース（ＩＤＢ）および個人情報データベース（ＰＤＢ）とで構成されている。
【００１２】
処理サーバ（ＳＶ）は、中央処理装置（ＣＰＵ）を中心に、図示を省略するが、ハードディスク装置（ＨＤ）、表示装置（ＤＩＳＰ）、印刷装置（ＰＲＴ）、入力装置（ＫＢＤ）等で構成されている。
【００１３】
以下に説明する本実施形態の機能は、処理サーバ（ＳＶ）の中央処理装置（ＣＰＵ）がハードディスク装置（ＨＤ）にインストールされた処理プログラムをロードして順次実行することにより実現される。
【００１４】
なお、ユーザ（ＵＳＥＲ）が用いる端末装置（ＭＰ）としては、図示した携帯端末の他に、ネットワーク接続可能なパーソナルコンピュータ、ＰＤＡ（Ｐｅｒｓｏｎａｌ　Ｄｉｇｉｔａｌ　Ａｓｓｉｓｔａｎｔ）等如何なるものであっても良いが、ＣＣＤカメラを備えた写真機能付き携帯端末が有効である。
【００１５】
ユーザ（ＵＳＥＲ）は、募金行為を行う場合、自身の端末装置（ＭＰ）から処理サーバ（ＳＶ）のアドレス（ＵＲＬ：Ｕｎｉｆｏｒｍ　Ｒｅｓｏｕｒｃｅ　Ｌｏｃａｔｏｒ）にアクセスし、自身の名前やメールアドレス等を登録し、処理サーバ（ＳＶ）より当該処理サーバ（ＳＶ）の提供する募金システムのユーザＩＤ（ここでは「ＰＩＴ　ＩＤ」、具体的にはたとえば、「ｅｓ００１３９４７」）とする：）の発行を受ける。このような作業は処理サーバ（ＳＶ）が生成するウェブ画面（同図中ＩＦで示す画面）を通じて行われる。このウェブ画面はＨＴＭＬ（Ｈｙｐｅｒ　Ｔｅｘｔ　Ｍａｒｋ−ｕｐ　Ｌａｎｇｕａｇｅ）またはＪＡＶＡプログラムにより生成されている。
なお、上記したユーザＩＤはあくまでも一例であり、このような形式に限定されない。
【００１６】
前記で登録されたＩＤ（ｅｓ００１３９４７）と当該ユーザの住所等の情報は個人情報データベース（ＰＤＢ）に記録される。
【００１７】
次に、ユーザ（ＵＳＥＲ）は、自身の端末装置（ＭＰ）から自身の顔写真データ（たとえば「ＳＨ５１００２．ＪＰＧ」）を処理サーバ（ＳＶ）に対して送信する。この顔写真データの送信は電子メールの添付データとして送信することができる。
【００１８】
この顔写真データを受信した処理サーバ（ＳＶ）は、当該顔写真データを画像データベース（ＩＤＢ）に格納するとともに、この顔写真データ（ＳＨ５１００２．ＪＰＧ）の格納アドレスを前記ユーザＩＤ（ｅｓ００１３９４７）と関係付けて個人情報データベース（ＰＤＢ）に格納する。
【００１９】
次に、処理サーバ（ＳＶ）の中央処理装置（ＣＰＵ）は、前記ハードディスク装置（ＨＤ）内に格納されたテンプレート画像（ＷＴＣ）を読み出して、前記顔写真データ（ＳＨ５１００２．ＪＰＧ）を当該テンプレート画像（ＷＴＣ）を構成するピクト画像データ（ｅ１ｐ１．ｊｐｇ）に変換する。
【００２０】
ここでテンプレート画像（ＷＴＣ）について説明すると、当該テンプレート画像（ＷＴＣ）は、２００１年９月１１日にテロで倒壊した米国の世界貿易センタービルのグレースケール画像（初期画像）である。
【００２１】
本実施形態は、ニューヨーク復興のための募金活動として採用可能なシステムであり、募金者の登録毎に当初グレースケール画像の世界貿易センタービルが次第に画像として完成していくように表示されるようになっている。
【００２２】
前述のように、処理サーバ（ＳＶ）の中央処理装置（ＣＰＵ）は、前記画像データベース（ＩＤＢ）から読み出した顔写真データ（ＳＨ５１００２．ＪＰＧ）を前記テンプレート画像（ＷＴＣ）を構成する任意のピクセル画像分の縮小画像データ（ｅ１ｐ１．ｊｐｇ）に縮小処理する。このときに用いられる画像縮小プログラムは、あらかじめ前記ハードディスク装置（ＨＤ）に格納されているが、作成画像の画素数と、募集人数によってピクト数値を決定しておく。
【００２３】
また、顔写真データが、テンプレート画像（ＷＴＣ）に当てはめた際に明度や彩度が完成画像からみて不自然とならないように、縮小した画像のＲＧＢまたはグレースケールの平均値を計算しておき、これをパラメータ化しておく。
【００２４】
以上のように算出されたピクト数値と画像変換パラメータに基づいて、前記顔写真画像データをピクト画像（ｅ１ｐ１．ｊｐｇ：画像を構成する任意の１ピクト画像（１ビット））に変換する
【００２５】
次に、前記で変換されたピクト画像のテンプレート画像（ＷＴＣ）中の座標位置と、ユーザＩＤ（ｅｓ００１３９４７）とを関連付けて個人情報データベース（ＰＤＢ）に登録する。これが実質的に関連付けテーブルとなる。
【００２６】
この関連付けテーブルは図６および図７に示すように、テキスト形式のＨＴＭＬファイルで構成されており、ＩＤ＝ｅｓ００１３９４７のユーザの顔写真画像データ（ＳＨ５１００２．ＪＰＧ）とピクト画像データ（ｅ１ｐ１．ｊｐｇ）は以下のように座標位置と関連付けて登録されることになる。
【００２７】
＜Ａ　ＨＲＥＦ＝”．／ｏｒｉｇｉｎａｌ／ＳＨ５１０００２．ＪＰＧ”ＴＡＲＧＥＴ＝”ｕｎｄｅｒ”＞＜ＩＭＧ　ＳＲＣ＝”ｅ１ｐ１．ｊｐｇ”　ＢＯＲＤＥＲ＝”２”＞＜／Ａ＞
なお、このような表示形式はあくまでも一例であり、要はユーザＩＤ（メールアドレス等）によって、構成画像内からパーソナル画像の抽出とオリジナル画像表示を確認・表示させることができるようなテーブル構成であればどのようなものでもよい。
【００２８】
なお、このテーブルは、未だピクト画像データが登録されていない領域は、画像をヌルデータとしてテンポラリな画像データを登録しておき、ユーザからの顔写真画像データが登録された段階で新たに生成されたピクト画像データで更新してもよい（図４参照）。あるいは、画像情報を空白にしたテーブルを記載しておき、ユーザからの顔写真画像データが登録された段階で新たに生成されたピクト画像データを登録してもよい（図５参照）。
【００２９】
なお、本実施形態では説明は省略しているが、このような関連付けテーブルへの登録にともなって当該ユーザに対して課金処理が実行され、当該ユーザの携帯端末のキャリア会社より当該ユーザに対して携帯端末の使用料金の一部として募金額が引き落とし処理される。
【００３０】
次にユーザが端末装置（ＭＰ）から当該処理サーバのアドレス（ＵＲＬ）を指定してアクセスし、ユーザＩＤ（ｅｓ００１３９４７）を入力すると、処理サーバ（ＳＶ）の中央処理装置（ＣＰＵ）は、個人情報データベース（ＰＤＢ）にアクセスして、当該ユーザＩＤに対応する顔写真データ（ＳＨ５１００２．ＪＰＧ）とピクト画像データ（ｅ１ｐ１．ｊｐｇ）とその座標位置情報とを取得し、これらの情報とテンプレート画像（ＷＴＣ）とから図８に示すような当該ユーザのＩＤ（ｅｓ００１３９４７）と、当該ユーザの顔写真データ（ＳＨ５１００２．ＪＰＧ）と、ピクト画像データ（ｅ１ｐ１．ｊｐｇ）で構成されたテンプレート画像（ＷＴＣ）とからなる表示データを生成し、前記ユーザの端末装置（ＭＰ）に送信する。
【００３１】
その結果、ユーザはこの表示データを自身の端末装置（ＭＰ）に表示させることにより、自分自身の募金が世界貿易センタービルの画像形成の中のどの部分に反映しているのかを確認することができるため、募金という行為が目視可能な形式で積み上げられていくのを実感できる（図３および図８参照）。
【００３２】
なお、このようにして生成されていくテンプレート画像（ＷＴＣ）は図２に示すように、実時間で更新される必要はなく、たとえば１０分毎に新たに登録されたピクト画像を当てはめていき更新するようにしてもよい。
【００３３】
なお、本実施形態では、端末装置として写真撮影機能付き端末装置（ＭＰ）を説明したが端末装置はこれに限定されない。つまり、「名前（テキスト）および写真画像が送信可能であれば、ＰＤＡやパーソナルコンピュータ等如何なる通信機器であってもよい。
【００３４】
また、テンプレート画像（ＷＴＣ）は、募金活動という社会的意義のために、米国の世界貿易センタービルの画像を用いたが、かならずしもこのような画像に限定されることはなく、画像データであればいかなるものであってもよく、たとえばタレントの顔写真データ、キャラクタデータ等いかなるものであってもよい。
【発明の効果】
本発明によれば、ユーザが画像データを登録することにより、処理サーバはこれをピクト画像に変換し、予め用意されたテンプレート画像に当てはめて当該テンプレート画像を実画像に完成させていく課程を可視的にユーザに表示することができるため、参加型のイベント等でユーザに対して当該イベントに対する参加意識を高めることができる。
【図面の簡単な説明】
【図１】本発明の実施形態の概念を説明するための図
【図２】実施形態においてピクト画像をテンプレート画像に当てはめる状態を説明するための図
【図３】実施形態においてユーザの端末装置からのアクセスによりテンプレート画像の完成度合いを表示させる状態を示す説明図
【図４】関連付けテーブルの生成を示す図（１）
【図５】関連付けテーブルの生成を示す図（２）
【図６】関連付けテーブルへのファイル保存を説明するための図
【図７】関連付けテーブルの内容を説明するための図
【図８】ユーザの端末装置に表示される表示データの一例を示す図
【符号の説明】
ＭＰ　端末装置
ＩＦ　インターフェース画面
ＳＶ　処理サーバ
ＰＤＢ　個人情報データベース
ＩＤＢ　画像データベース
ＷＴＣ　テンプレート画像データ
【図１】
2004030076.tif 000003
【図２】
2004030076.tif 000004
【図３】
2004030076.tif 000005
【図４】
2004030076.tif 000006
【図５】
2004030076.tif 000007
【図６】
2004030076.tif 000008
【図７】
2004030076.tif 000009
【図８】
2004030076.tif 000010